(57)【要約】【課題】シャッタ部材をカートリッジ本体の左右の側面側にそれぞれ備える。【解決手段】カートリッジ本体１１Ａ内にディスク状記録媒体１２を回転可能に収納したディスクカートリッジ１０Ａにおいて、カートリッジ本体１１Ａの上面１１ａの内面に一端部を固着した板バネ１４Ａでディスク状記録媒体１２の中心部に貼り付けた樹脂製キャップ１３を押圧することでディスク状記録媒体の中心部をカートリッジ本体の下面１１ｂの中央部に形成したターンテーブル進入用丸孔１１ｂ１の外周内面に押し付けてターンテーブル進入用丸孔１１ｂ１を閉蓋し、且つ、ディスク装置３０Ａへの挿入動作に伴ってスライドするシャッタ部材１５Ａ，１６をカートリッジ本体１１Ａの左右の側面１１ｅ，１１ｆ側にスライド可能に設けて、これら左右のシャッタ部材１５Ａ，１６でカートリッジ本体の下面の左右に形成した光ピックアップ進入用開口部１１ｂ２，１１ｂ３を閉蓋している。【選択図】図１
2006260665.tif 000002
【特許請求の範囲】
【請求項１】
上下の各面と、前後左右の各側面とで略直方形状に形成され、且つ、下面の中央部にターンテーブル進入用孔が形成されていると共に、前記ターンテーブル進入用孔を挟んで前記下面の左右に光ピックアップ進入用開口部が形成されたカートリッジ本体と、
前記カートリッジ本体の内部空間内に回転可能に収納され、且つ、上面中心部に形成した円形凹部内にキャップを貼り付けて該キャップで前記円形凹部内にある中心孔の上方部位を閉蓋したディスク状記録媒体と、
前記カートリッジ本体の左右の側面側にスライド可能にそれぞれ設けられ、且つ、前記左右の光ピックアップ進入用開口部を閉蓋するも、ディスク装置への挿入動作に伴って挿入方向とは反対側にそれぞれスライドして前記左右の光ピックアップ進入用開口部を開蓋する左右のシャッタ部材と、
前記カートリッジ本体内で該カートリッジ本体の上面の内面に一端部が固着され、前記キャップを押圧することで前記ディスク状記録媒体の中心部を前記ターンテーブル進入用孔の外周内面に押し付けて、前記キャップを貼り付けた前記ディスク状記録媒体の中心部で前記ターンテーブル進入用孔を閉蓋するも、前記ディスク装置への挿入動作に伴ってスライドする少なくとも一方のシャッタ部材によって前記キャップから離間する板バネとを備えたことを特徴とするディスクカートリッジ。
【発明の詳細な説明】
【技術分野】
【０００１】
本発明は、上下の各面と、前後左右の各側面とで略直方形状に形成したカートリッジ本体の内部空間内に光ディスク又は光磁気ディスクなどのディスク状記録媒体を回転可能に収納し、且つ、ディスク装置への挿脱動作に応じてスライドするシャッタ部材をカートリッジ本体の左右の側面側にそれぞれ設けたディスクカートリッジに関するものである。
【背景技術】
【０００２】
一般的に、光ディスク又は光磁気ディスクなどのディスク状記録媒体は、音楽情報，映像情報，あるいはその他のデータなどを大容量に記録及び／又は再生でき、且つ、所望の情報を高速にアクセスできることから多用されているが、情報信号を高密度に記録及び／又は再生できるＤＶＤなどの光ディスクや、情報信号を超高密度に記録及び／又は再生できる次世代用の光ディスク又は光磁気ディスクなどでは、記録及び／又は再生用の信号面を塵埃，傷付きなどから保護するために、一般的に略直方形状に形成したカートリッジ本体内にディスク状記録媒体を回転可能に収納してディスクカートリッジを構成している。
【０００３】
この際、ディスクカートリッジは、カートリッジ本体の下面の中央部に形成したターンテーブル進入用丸孔内にディスク装置のターンテーブルを進入させてこのターンテーブルでディスク状記録媒体の中心孔をチャッキングして回転自在に支持させ、且つ、カートリッジ本体の下面に形成した光ピックアップ進入用開口部にディスク装置の光ピックアップを臨ませてディスク状記録媒体の信号面を記録及び／又は再生できるようになっているが、ディスクカートリッジの不使用時にスライド自在なシャッタ部材でターンテーブル進入孔及び光ピックアップ進入用開口部を閉蓋している。
【０００４】
ところで、ディスク状記録媒体に対してディスク装置内に設けた２つの光ピックアツプで同時にアクセスするために、一つのシャッタ部材でターンテーブル進入用丸孔及び２箇所の光ピックアップ進入用開口部を開閉するように構成したディスクカートリッジがある（例えば、特許文献１参照）。
【特許文献１】特開平７−１７６０９２号公報（第２−４頁、図１）。
【０００５】
図９は従来のディスクカートリッジを示した平面図である。
【０００６】
図９に示した従来のディスクカートリッジ１００は、上記した特許文献１（特開平７−１７６０９２号公報）に開示されているものであり、ここでは特許文献１を参照して簡略に説明する。
【０００７】
図９に示した如く、従来のディスクカートリッジ１００では、略直方形状に形成したカートリッジ本体１０１内にディスク状記録媒体１０２が回転可能に収納されている。また、カートリッジ本体１０１の下面側には、ディスク装置のターンテーブル（図示せず）を進入させるためのターンテーブル進入用丸孔１０１ａがディスク状記録媒体１０２の中心孔１０２ａと対向して開口され、更に、ディスク装置の２つの光ピックアップ（図示せず）を進入させるための２箇所の光ピックアップ進入用開口部１０１ｂ，１０１ｃがターンテーブル進入用丸孔１０１ａを挟んでディスク装置への挿脱方向と同じ方向に開口されている。
【０００８】
一方、シャッタ部材１０３はディスクカートリッジ１００の下面，前側面，上面，後側面にかけて枠状に掛け渡されており、ディスク装置への挿脱方向に対して直交する方向（矢印Ｙ方向）にスライド自在に設けられている。
【０００９】
そして、ディスクカートリッジ１００の不使用時にシャッタ部材１０３でターンテーブル進入用丸孔１０１ａ及び２箇所の光ピックアップ進入用開口部１０１ｂ，１０１ｃを閉蓋する一方、ディスクカートリッジ１００の使用時にディスク装置への挿入動作に伴ってシャッタ部材１０３を矢印Ｙ方向にスライドさせてターンテーブル進入用丸孔１０１ａ及び２箇所の光ピックアップ進入用開口部１０１ｂ，１０１ｃを開蓋している。
【発明の開示】
【発明が解決しようとする課題】
【００１０】
ところで、従来のディスクカートリッジ１００を用いれば、ディスク状記録媒体１０２に対してディスク装置内に設けた２つの光ピックアツプ（図示せず）で同時にアクセスすることができるので、一方の光ピックアップで記録を行い、他方の光ピックアップで再生を行うことができ、同時記録再生や、記録しながら時間をズラして再生する追っかけ再生等が可能であるので大変便利であるものの、しかしながら、従来のディスクカートリッジ１００では、ディスク装置への挿脱動作に応じて一つのシャッタ部材１０３を開閉する場合に、カートリッジ本体１０１の前側面と後側面との間に掛け渡されたシャッタ部材１０３のスパンはスライド距離に比較して大幅に長いために一つのシャッタ部材１０３がスライド時にこじれて傾いてしまいスムーズにスライドさせることができず、シャッタ部材１０３の開閉時の負荷が増大してしまうという問題があると共に、一つのシャッタ部材１０３のスライド方向がディスク装置への挿入方向に対して直交しているので、このシャッタ部材１０３を開蓋するためにディスク装置内に設けた不図示のシャッタ開蓋部材も複雑な構成となってしまう。
【００１１】
尚、同時記録再生や追っかけ再生は一つの光ピックアップでも可能であるが、この場合はメモリーを使用し、時間をズラして記録と再生を行うため、高速で容量の大きな同時記録再生や追っかけ再生を行うことはできないので不便である。
【００１２】
そこで、ディスク状記録媒体１０２に対してディスク装置内に設けた２つの光ピックアツプ（図示せず）で同時にアクセスする際に、シャッタ部材のスパンを短くするためにシャツタ部材を２つに分けることで、非装着時に２つのシャッタ部材で２箇所の光ピックアップ進入用開口部を閉蓋でき、且つ、ディスク装置への挿入有時に２つのシャッタ部材をスムーズにスライドさせることができるディスクカートリッジを検討した。
【００１３】
この際に、２つのシャッタ部材を同じ方向にスライドさせるように設けた時には２つのシャッタ部材を同時に開閉できるだけでなく、いずれか一方をスライドさせた場合にディスク装置内で挿入方向の左右いずれか一方側に光ピックアップが一つだけある場合にも対応でき、更に、２つのシャッタ部材を互いに異なる方向にスライドさせるように設けた時にはカートリッジ本体の前側面側又は後側面側から挿入可能なディスクカートリッジとして構成できるので、ディスク装置への挿脱動作に応じてスライドするシャッタ部材をカートリッジ本体の左右の側面側にそれぞれ設けたディスクカートリッジが望まれている。
【課題を解決するための手段】
【００１４】
本発明は上記課題に鑑みてなされたものであり、請求項１記載の発明は、上下の各面と、前後左右の各側面とで略直方形状に形成され、且つ、下面の中央部にターンテーブル進入用孔が形成されていると共に、前記ターンテーブル進入用孔を挟んで前記下面の左右に光ピックアップ進入用開口部が形成されたカートリッジ本体と、
前記カートリッジ本体の内部空間内に回転可能に収納され、且つ、上面中心部に形成した円形凹部内にキャップを貼り付けて該キャップで前記円形凹部内にある中心孔の上方部位を閉蓋したディスク状記録媒体と、
前記カートリッジ本体の左右の側面側にスライド可能にそれぞれ設けられ、且つ、前記左右の光ピックアップ進入用開口部を閉蓋するも、ディスク装置への挿入動作に伴って挿入方向とは反対側にそれぞれスライドして前記左右の光ピックアップ進入用開口部を開蓋する左右のシャッタ部材と、
前記カートリッジ本体内で該カートリッジ本体の上面の内面に一端部が固着され、前記キャップを押圧することで前記ディスク状記録媒体の中心部を前記ターンテーブル進入用孔の外周内面に押し付けて、前記キャップを貼り付けた前記ディスク状記録媒体の中心部で前記ターンテーブル進入用孔を閉蓋するも、前記ディスク装置への挿入動作に伴ってスライドする少なくとも一方のシャッタ部材によって前記キャップから離間する板バネとを備えたことを特徴とするディスクカートリッジである。
【発明の効果】
【００１５】
請求項１記載のディスクカートリッジによると、略直方形状に形成したカートリッジ本体の左右の側面側に左右のシャッタ部材をディスク装置への挿脱動作に応じてスライド可能に設ける際に、左右のシャッタ部材を同じ方向にスライドさせるように設けた時には左右のシャッタ部材を同時に開閉できるだけでなく、いずれか一方をスライドさせた場合にはディスク装置内で挿入方向の左右いずれか一方側に光ピックアップが一つだけある場合にも対応でき、更に、左右のシャッタ部材を互いに異なる方向にスライドさせるように設けた時にはカートリッジ本体の前側面側又は後側面側から挿入可能なディスクカートリッジとして構成できるので、汎用性の良いディスクカートリッジを提供できる。
【００１６】
この際、ディスクカートリッジが初期状態となる非装着時に、カートリッジ本体の上面の内面に一端部を固着した板バネでディスク状記録媒体の中心部に貼り付けたキャップを押圧することでディスク状記録媒体の中心部をカートリッジ本体の下面の中央部に形成したターンテーブル進入用孔の外周内面に押し付けて、キャップを貼り付けたディスク状記録媒体の中心部でターンテーブル進入用孔を閉蓋し、且つ、カートリッジ本体の左右の側面側に設けた左右のシャッタ部材でカートリッジ本体の下面の左右に形成した２箇所の光ピックアップ進入用開口部を閉蓋しているので、カートリッジ本体内に塵埃が入り込むことなく、また、ディスク状記録媒体の信号面に傷が付くこともないなどの利点がある。
【発明を実施するための最良の形態】
【００１７】
以下に本発明に係るディスクカートリッジの一実施例を図１乃至図８を参照して実施例１，実施例２の順に詳細に説明する。
【実施例１】
【００１８】
図１は本発明に係る実施例１のディスクカートリッジを上面側から見た斜視図、
図２（ａ），（ｂ）は本発明に係る実施例１のディスクカートリッジを示した上面図，縦断面図、
図３は本発明に係る実施例１のディスクカートリッジの前後左右を反転させずに摸式的に下面側から見た斜視図、
図４は本発明に係る実施例１のディスクカートリッジの左右の側面側を断面した断面図であり、（ａ）は非装着時の状態を示し、（ｂ）はディスク装置への装着時の状態を示した図である。
【００１９】
図１及び図２に示した如く、本発明に係る実施例１のディスクカートリッジ１０Ａは、外観を構成するカートリッジ本体１１Ａが樹脂材を用いて互いに対をなす上ハーフと下ハーフとを突き合わせて略直方形状に一体的に形成されて、この内部空間内に光ディスク又は光磁気ディスクなどのディスク状記録媒体１２が回転可能に収納されている。
【００２０】
尚、以下の説明では、カートリッジ本体１１Ａを上下のハーフに分けずに、カートリッジ本体１１Ａが上面１１ａ，下面１１ｂ，前側面１１ｃ，後側面１１ｄ，左側面１１ｅ，右側面１１ｆにより略直方形状に囲まれた状態で図示して説明する。
【００２１】
ここで、カートリッジ本体１１Ａ内に収納された円盤状のディスク状記録媒体１２は、図２（ｂ）に示したように、このディスク状記録媒体１２の上面１２ａ側の中心部に中心孔１２ｃと同心でこの中心孔１２ｃの外周に沿って円形凹部１２ｄが上面１２ａより一段くぼんで形成されている。従って、ディスク状記録媒体１２の上面中心部に形成した円形凹部１２ｄ内に中心孔１２ｃがある。
【００２２】
そして、ディスク状記録媒体１２の中心部に形成した円形凹部１２ｄ内に上面１２ａよりも僅かに高さを高くお椀状に形成した樹脂製キャップ１３が接着剤を用いて貼り付けられており、この樹脂製キャップ１３はディスク状記録媒体１２の中心孔１２ｃを上方から臨みながら中心孔１２ｃの上方部位を閉蓋しているものの、ディスクカートリッジをディスク装置３０Ａに挿入した時には、ディスク装置３０Ａ内に設けたターンテーブル３２（図１のみ図示）がカートリッジ本体１１Ａの下面１１ｂの中央部に形成したターンテーブル進入用丸孔１１ｂ１からディスク状記録媒体１２の中心孔１２ｃ内に進入可能になっている。
【００２３】
また、カートリッジ本体１１Ａ内には、上面１１ａの内面に一端部となる固着部１４ａが固着された板バネ１４Ａがディスク状記録媒体１２の上面１２ａの上方で弾性変位可能に収納されている。
【００２４】
上記した板バネ１４Ａは、カートリッジ本体１１Ａ内で前側面１１ｃ側の固着部１４ａから傾斜部１４ｂを経て中心位置の押圧部１４ｃまでが幅細く長尺に形成され、且つ、押圧部１４ｃからカートリッジ本体１１Ａの後側面１１ｄに向かって左右の押し上げ部１４ｄが左右の側面１１ｅ，１１ｆの内側近傍まで逆Ｔ字状に幅広く分岐して形成されている。
【００２５】
そして、板バネ１４Ａは、細幅の固着部１４ａがカートリッジ本体１１Ａの上面１１ａの内面で前側面１１ｃ側に固着され、且つ、固着部１４ａから傾斜部１４ｂが中心位置の押圧部１４ｃに向かって下降し、この押圧部１４ｃが樹脂製キャップ１３の上面に当接可能に平坦面に形成されており、初期状態となる非装着時に押圧部１４ｃが傾斜部１４ｂのバネ力でディスク状記録媒体１２の中心部に貼り付けた樹脂製キャップ１３を上方から押圧することで、樹脂製キャップ１３を貼り付けたディスク状記録媒体１２の中心部がカートリッジ本体１１Ａの下面１１ｂの中央部に形成したターンテーブル進入用丸孔１１ｂ１｛図２（ｂ）｝の外周内面に押し付けられている。
【００２６】
また、板バネ１４Ａの左右の押し上げ部１４ｄは、押圧部１４ｃと略同じ高さで平坦面に形成され、且つ、左右の押し上げ部１４ｄの左右端にカム片１４ｅ，１４ｆがこの押し上げ部１４ｄより徐々に上方に向かう傾斜部と上部平坦部とを連接してカートリッジ本体１１Ａの前側面１１ｃに向かってそれぞれ切り越し形成されており、これらのカム片１４ｅ，１４ｆの下側で後述するように左右一対のシャッタ部材１５，１６に形成した各押し上げ片１５ｅ，１６ｅが接離自在に係合している。
【００２７】
上記したディスクカートリッジ１０Ａは、ディスク装置３０Ａへの正規な挿入方向がカートリッジ本体１１Ａの上面１１ａを上方に向け、且つ、前側面１１ｃを先頭にして矢印Ｘ１方向に挿入可能に形成されている。尚、カートリッジ本体１１Ａの前側面１１ｃ以外を先頭にして挿入する場合にはディスク装置３０Ａ側で誤挿入防止が図られているがここでの説明を省略する。
【００２８】
次に、図３に示した如く、ディスクカートリッジ１０Ａのカートリッジ本体１１Ａの下面１１ｂには、中央部にディスク装置３０Ａに設けたターンテーブル３２（図１）を進入させるためのターンテーブル進入用丸孔１１ｂ１がディスク状記録媒体１２の中心孔１２ａと対向して開口され、更に、ディスク装置３０Ａの２つの光ピックアップ３３，３４（図１）を進入させるための２箇所の光ピックアップ進入用開口部１１ｂ２，１１ｂ３がターンテーブル進入用丸孔１１ｂ１を挟んでカートリッジ本体１１Ａの左右の側面１１ｅ，１１ｆ側に向かって形成されている。
【００２９】
再び図１及び図２に戻り、カートリッジ本体１１Ａの左右の側面１１ｅ，１１ｆ側には、左右一対のシャッタ部材１５Ａ，１６がディスクカートリッジ１０Ａのディスク装置３０Ａへの挿脱動作に応じてスライド可能に設けられている。この際、左右一対のシャッタ部材１５Ａ，１６は、ディスク装置３０への挿入動作に応じて挿入方向と反対側の後方側（矢印Ｘ２方向）にスライドする一方、ディスク装置３０から引き出す動作に応じて前方側（矢印Ｘ１方向）にスライドするようになっている。
【００３０】
上記した左側のシャッタ部材１５Ａと右側のシャッタ部材１６は、この実施例１において左右対称に形成されており、ステンレス材を用いて各上面１５ａ，１６ａと、各側面１５ｂ，１６ｂと、各下面１５ｃ（図３のみ図示），１６ｃとでコ字状に折り曲げ形成され、カートリッジ本体１１Ａの左右の側面１１ｅ，１１ｆに対して抜け防止を図りながら左右の側面１１ｅ，１１ｆから上下の面１１ａ，１１ｂに沿ってスライド可能にはめ込まれている。
【００３１】
この際、左右一対のシャッタ部材１５Ａ，１６の各上面１５ａ，１６ａには、ディスク装置３０Ａへの挿入方向を示す各ラベル１７Ａ，１７Ａが貼り付けられており、この実施例１において各ラベル１７Ａ，１７Ａに印された矢印の向きが同じになっている。
【００３２】
また、左右一対のシャッタ部材１５Ａ，１６は、挿入方向前方側となるカートリッジ本体１１Ａの前側面１１ｃ側に各ロック片１５ｄ，１６ｄが各側面１５ｂ，１６ｂの途中から内側に向かって曲げ形成され、各ロック片１５ｄ，１６ｄはカートリッジ本体１１Ａの左右の側面１１ｅ，１１ｆに沿って形成した長尺なガイド溝１１ｅ１（図示せず），１１ｆ１内に入り込んでいる。
【００３３】
これに伴って、カートリッジ本体１１Ａ内で前側面１１ｃと左右の側面１１ｅ，１１ｆとが交差する各コーナ部位近傍に、左右一対のシャッタロック爪１８Ａ，１９が各軸２０Ａ，２１を中心に各ネジリバネ２２Ａ，２３によってそれぞれ時計方向，反時計方向に付勢されながら回動自在に設けられており、初期状態となる非装着時に左右一対のシャッタロック爪１８Ａ，１９が各ネジリバネ２２Ａ，２３の付勢力によって左右一対のシャッタ部材１５Ａ，１６の各ロック片１５ｄ，１６ｄに係合することで左右一対のシャッタ部材１５Ａ，１６がロックされ、この時に図３に示したように、左右一対のシャッタ部材１５Ａ，１６の各下面１５ｃ，１６ｃでカートリッジ本体１１Ａの下面１１ｂの左右に形成した２箇所の光ピックアップ進入用開口部１１ｂ２，１１ｂ３が閉蓋されているので、２箇所の光ピックアップ進入用開口部１１ｂ２，１１ｂ３から塵埃などがカートリッジ本体１１Ａ内に入り込むことなく、また、ディスク状記録媒体１２の下面１２ｂ｛図２（ｂ）｝側の信号面に傷が付くこともない。
【００３４】
一方、ディスクカートリッジ１０Ａをディスク装置３０Ａ内に正規な方向（矢印Ｘ１方向）から挿入して、このディスク装置３０Ａ内で左右一対のシャッタ部材１５Ａ，１６を開く時には、ディスク装置３０Ａのカートリッジ挿脱口３１の左右に設けた左右一対のシャッタロック解除部材３５，３６が挿入動作に伴ってカートリッジ本体１１Ａの左右の側面１１ｅ，１１ｆに沿って形成したガイド溝１１ｅ１（図示せず），１１ｆ１内に進入して、これらのシャッタロック解除部材３５，３６でカートリッジ本体１１Ａ内に設けた左右一対のシャッタロック爪１８Ａ，１９を押すことで、左右一対のシャッタロック爪１８Ａ，１９が各軸２０Ａ，２１を中心にネジリバネ２２Ａ，２３の付勢力に抗してシャッタロック解除位置まで反時計方向，時計方向にそれぞれ回動するので、左右一対のシャッタロック爪１８Ａ，１９が左右一対のシャッタ部材１５Ａ，１６の各ロック片１５ｄ，１６ｄから離れて、左右一対のシャッタ部材１５Ａ，１６へのロックが解除されると共に、ディスクカートリッジ１０Ａの更なる挿入動作に伴って左右一対のシャッタロック解除部材３５，３６によって左右一対のシャッタ部材１５Ａ，１６が挿入方向とは反対側の後方側（矢印Ｘ２方向）に押されてスライドするために左右一対のシャッタ部材１５Ａ，１６が略同時に開く。
【００３５】
これにより、カートリッジ本体１１Ａの下面１１ｂに形成した２箇所の光ピックアップ進入用開口部１１ｂ２，１１ｂ３が開蓋されるので、２箇所の光ピックアップ進入用開口部１１ｂ２，１１ｂ３内にディスク装置３０Ａ内に設けた２つの光ピックアップ３３，３４（図１）が略同時に臨むことができる。
【００３６】
また、左右一対のシャッタ部材１５Ａ，１６は、挿入方向と反対でカートリッジ本体１１Ａの後側面１１ｄ側に各押し上げ片１５ｅ，１６ｅが各側面１５ｂ，１６ｂの途中から内側に向かって曲げ形成されており、各押し上げ片１５ｅ，１６ｅはカートリッジ本体１１Ａの左右の側面１１ｅ，１１ｆに沿って形成した長尺なガイド溝１１ｅ１（図示せず），１１ｆ１内に入り込んでいる。
【００３７】
そして、図４（ａ）に示したように、ディスクカートリッジ１０Ａが初期状態となる非装着時に、ロック位置にいる左右一対のシャッタ部材１５Ａ，１６の各押し上げ片１５ｅ，１６ｅは、板バネ１４Ａの左右の押し上げ部１４ｄの左右端に形成した各カム片１４ｅ，１４ｆの下にそれぞれ進入しているので、板バネ１４Ａの押圧部１４ｃが傾斜部１４ｂのバネ力でディスク状記録媒体１２の中心部に貼り付けた樹脂製キャップ１３を上方から押圧できるために、ディスク状記録媒体１２の中心部がカートリッジ本体１１Ａの下面１１ｂの中央部に形成したターンテーブル進入用丸孔１１ｂ１の外周内面に押し付けられている。
【００３８】
これにより、カートリッジ本体１１Ａの下面１１ｂの中央部に形成したターンテーブル進入用丸孔１１ｂ１が、樹脂製キャップ１３を貼り付けたディスク状記録媒体１２の中心部によって閉蓋されているので、ターンテーブル進入用丸孔１１ｂ１から塵埃などがカートリッジ本体１１Ａ内に入り込めないようになっている。
【００３９】
この後、ディスクカートリッジ１０Ａがディスク装置３０Ａ（図１）内に挿入され、この挿入動作に伴って左右一対のシャッタ部材１５Ａ，１６が挿入方向とは反対側の後方側（矢印Ｘ２方向）にスライドする動作に伴って、図４（ｂ）に示したように、板バネ１４Ａの各カム片１４ｅ，１４ｆの下にそれぞれ進入していたシャッタ部材１５Ａ，１６の各押し上げ片１５ｅ，１６ｅが各カム片１４ｅ，１４ｆの各傾斜面を経由して左右の押し上げ部１４ｄの裏面に沿って移動することで、板バネ１４Ａの左右の押し上げ部１４ｄが上方に持ち上げられるので、板バネ１４Ａの押圧部１４ｃがディスク状記録媒体１２の中心部に貼り付けた樹脂製キャップ１３から離間すると共に、板バネ１４Ａ全体が上方に持ち上げられるので板バネ１４Ａはディスク状記録媒体１２の上面１２ａに接触しない。
【００４０】
これにより、ディスク装置３０Ａ内に設けたターンテーブル３２（図１）がカートリッジ本体１１Ａの下面１１ｂの中央部に形成したターンテーブル進入用丸孔１１ｂ１内に進入し、このターンテーブル３２でディスク状記録媒体１２の中心孔１２ｃをチャッキングした時に、板バネ１４Ａの押圧部１４ｃがディスク状記録媒体１２の中心部に貼り付けた樹脂製キャップ１３に接触することなく、ターンテーブル３２と一体にディスク状記録媒体１２を回転できるので、２つの光ピックアップ３３，３４（図１）のうちで一方の光ピックアップでディスク状記録媒体１２への記録を行い、他方の光ピックアップでディスク状記録媒体１２から再生を行うことができ、同時記録再生や、記録しながら時間をズラして再生する追っかけ再生等が可能となる。
【００４１】
尚、実施例１では、ディスクカートリッジ１０Ａのディスク装置３０Ａへの挿入動作に伴って、ディスク装置３０Ａ内に設けた左右一対のシャッタロック解除部材３５，３６によって左右一対のシャッタ部材１５Ａ，１６を略同時に開蓋させた場合について説明したが、これに限ることなく、左右いずれか一方のみだけにシャッタロック解除部材が設けられているディスク装置の場合には左右一対のシャッタ部材１５Ａ，１６のいずれか一方だけがスライド可能になるので、各種のディスク装置に対応でき且つ汎用性のあるディスクカートリッジ１０Ａを提供できる。
【実施例２】
【００４２】
図５は本発明に係る実施例２のディスクカートリッジを上面側から見た斜視図、
図６（ａ），（ｂ）は本発明に係る実施例２のディスクカートリッジを示した上面図，縦断面図、
図７は本発明に係る実施例２のディスクカートリッジの前後左右を反転させずに摸式的に下面側から見た斜視図、
図８は本発明に係る実施例２のディスクカートリッジの左右の側面側を断面した断面図であり、（ａ）は非装着時の状態を示し、（ｂ）はディスク装置への装着時の状態を示した図である。
【００４３】
図５及び図６に示した本発明に係る実施例２のディスクカートリッジ１０Ｂは、先に図１及び図２を用いて説明した実施例１のディスクカートリッジ１０Ａの構成と一部を除いて同様の構成であり、ここでは説明の便宜上、先に示した構成部材と同じ形状の構成部材に対して同一の符号を付して図示し、且つ、実施例１に対して異なる形状の構成部材に対して新たな補助符号を付して異なる点を中心に説明する。
【００４４】
即ち、図５及び図６に示した如く、実施例２のディスクカートリッジ１０Ｂでは、略直方形状のカートリッジ本体１１Ｂの内部空間内に円盤状のディスク状記録媒体１２が回転可能に収納され、且つ，カートリッジ本体１１Ｂで上面１１ａの内面に一端部となる固着部１４ａが固着された板バネ１４Ｂがディスク状記録媒体１２の上面１２ａの上方で弾性変位可能に収納され、更に、カートリッジ本体１１Ｂの左右の側面１１ｅ，１１ｆ側にシャッタ部材１５Ｂ，１６がスライド可能に設けられ、これらのシャッタ部材１５Ｂ，１６のうちで右側面１１ｆ側のシャッタ部材１６はカートリッジ本体１１Ｂの前側面１１ｃを先頭にしてディスク装置５０Ｂに挿入するように取り付けられている点が実施例１と同じであるものの、左側面１１ｅ側のシャッタ部材１５Ｂはカートリッジ本体１１Ｂの後側面１１ｄを先頭にしてディスク装置５０Ｂに挿入するように取り付けられている点が実施例１に対して異なっている。尚、カートリッジ本体１１Ｂの前側面１１ｃ又は後側面１１ｄ以外を先頭にして挿入する場合にはディスク装置３０Ｂ側で誤挿入防止が図られているがここでの説明を省略する。
【００４５】
これに伴って、左側のシャッタ部材１５Ｂの上面１５ａに貼り付けたラベル１７Ｂと、右側のシャッタ部材１６の上面１６ａに貼り付けたラベル１７Ａとではディスク装置３０Ａへの挿入方向を示す矢印の向きが互いに反対になっている。
【００４６】
また、実施例２のディスクカートリッジ１０Ｂが挿脱されるディスク装置１０Ｂは、ターンテーブル３２の右側のみに一つの光ピックアップ３４が設けられ、且つ、ディスク挿脱口３１の右側のみにシャッタロック解除部材３６が設けられている。
【００４７】
ここで、カートリッジ本体１１Ｂの右側面１１ｆ側は実施例１と同じであるので詳述な説明を省略するものの、カートリッジ本体１１Ｂの左側面１１ｅ側に取り付けたシャッタ部材１５Ｂは、実施例１と反対方向で挿入方向前方側となる後側面１１ｄ側にロック片１５ｄが側面１５ｂの途中から内側に向かって曲げ形成されている。これに伴って、カートリッジ本体１１Ｂ内で後側面１１ｄと左側面１１ｅとが交差するコーナ部位近傍に、左側のシャッタロック爪１８Ｂが軸２０Ｂを中心にネジリバネ２２Ｂによって反時計方向に付勢されながら回動自在に設けられており、初期状態となる非装着時に左側のシャッタロック爪１８Ｂがネジリバネ２２Ｂの付勢力によって左側のシャッタ部材１５Ｂのロック片１５ｄに係合することで左側のシャッタ部材１５Ｂがロックされている。
【００４８】
また、左側のシャッタ部材１５Ｂは、カートリッジ本体１１Ｂの後側面１１ｄからの挿入方向とは反対側で前側面１１ｃ側に押し上げ片１５ｅが側面１５ｂの途中から内側に向って曲げ形成されており、この押し上げ片１５ｅは後述する板バネ１４Ｂのカム片１４ｊの下側で接離自在に係合している。
【００４９】
また、上記した板バネ１４Ｂは、細幅の固着部１４ａがカートリッジ本体１１Ｂの上面１１ａの内面で前側面１１ｃ側に固着され、且つ、固着部１４ａから実施例１とは異なる形状の第１傾斜部１４ｂ’が中心位置の押圧部１４ｃに向かって下降し、初期状態となる非装着時に押圧部１４ｃが第１傾斜部１４ｂ’のバネ力でディスク状記録媒体１２の中心部に貼り付けた樹脂製キャップ１３を上方から押圧することで、樹脂製キャップ１３を貼り付けたディスク状記録媒体１２の中心部がカートリッジ本体１１Ｂの下面１１ｂの中央部に形成したターンテーブル進入用丸孔１１ｂ１の外周内面に押し付けられている。
【００５０】
また、板バネ１４Ｂは、押圧部１４ｃに連接した右側の押し上げ部１４ｄ’が実施例１に対して幅寸法が半分で押圧部１４ｃと略同じ高さで平坦面に形成されているものの、右側の押し上げ部１４ｄ’の右端に実施例１と同じ形状のカム片１４ｆがカートリッジ本体１１Ｂの前側面１１ｃに向かって切り越し形成されており、このカム片１４ｆの下側で右側のシャッタ部材１６に形成した押し上げ片１６ｅが接離自在に係合している。
【００５１】
一方、板バネ１４Ｂの左側は実施例１に対して形状が異なっており、第１傾斜部１４ｂ’の左側に同じ傾斜で第２傾斜部１４ｇが形成され、この第２傾斜部１４ｇの左側に切り込み部１４ｈを介して左側の押し上げ部１４ｉが右側の押し上げ部１４ｄ’と略同じ高さで平坦面に形成され、且つ、左側の押し上げ部１４ｉの左端に実施例１に対して反対向きのカム片１４ｊがカートリッジ本体１１Ｂの後側面１１ｄに向かって切り越し形成されており、このカム片１４ｊの下側で左側のシャッタ部材１５Ｂに形成した押し上げ片１５ｅが接離自在に係合している。
【００５２】
そして、実施例２のディスクカートリッジ１０Ｂをディスク装置３０Ｂに挿入する場合に、カートリッジ本体１１Ｂの上面１１ａを上方に向け、且つ、前側面１１ｃを先頭にして挿入すると、ディスク装置３０Ｂのカートリッジ挿脱口３１の右側に設けたシャッタロック解除部材３６によって右側のシャッタ部材１６が挿入方向と反対側にスライドして開蓋する一方、カートリッジ本体１１Ｂの上面１１ａを上方に向け、且つ、後側面１１ｄを先頭にして挿入すると、ディスク装置３０Ｂのカートリッジ挿脱口３１の右側に設けたシャッタロック解除部材３６によって左側のシャッタ部材１５Ｂが挿入方向と反対側にスライドして開蓋するようになっている。
【００５３】
また、実施例２のディスクカートリッジ１０Ｂにおいても初期状態となる非装着時に、図７に示した如く、左右のシャッタ部材１５Ｂ，１６の各下面１５ｃ，１６ｃでカートリッジ本体１１Ｂの下面１１ｂの左右に形成した２箇所の光ピックアップ進入用開口部１１ｂ２，１１ｂ３が閉蓋されているので、２箇所の光ピックアップ進入用開口部１１ｂ２，１１ｂ３から塵埃などがカートリッジ本体１１Ｂ内に入り込むことなく、また、ディスク状記録媒体１２の下面１２ｂ｛図６（ｂ）｝側の信号面に傷が付くこともない。
【００５４】
更に、図８（ａ）に示したように、ディスクカートリッジ１０Ｂが初期状態となる非装着時に、ロック位置にいる左右のシャッタ部材１５Ｂ，１６の各押し上げ片１５ｅ，１６ｅは、板バネ１４Ｂの左右の押し上げ部１４ｉ，１４ｄ’の左右端に形成した各カム片１４ｊ，１４ｆの下にそれぞれ進入しているので、板バネ１４Ｂの押圧部１４ｃが第１傾斜部１４ｂ’のバネ力でディスク状記録媒体１２の中心部に貼り付けた樹脂製キャップ１３を上方から押圧できるために、樹脂製キャップ１３を貼り付けたディスク状記録媒体１２の中心部がカートリッジ本体１１Ｂの下面１１ｂの中央部に形成したターンテーブル進入用丸孔１１ｂ１の外周内面に押し付けられている。
【００５５】
これにより、カートリッジ本体１１Ｂの下面１１ｂの中央部に形成したターンテーブル進入用丸孔１１ｂ１が、樹脂製キャップ１３を貼り付けたディスク状記録媒体１２の中心部によって閉蓋されているので、ターンテーブル進入用丸孔１１ｂ１から塵埃などがカートリッジ本体１１Ａ内に入り込めないようになっている。
【００５６】
この後、図８（ｂ）に示したように、カートリッジ本体１１Ｂの前側面１１ｃを先頭にしてディスクカートリッジ１０Ｂをディスク装置３０Ｂ（図５）に挿入した時には、右側のシャッタ部材１６が後方側（矢印Ｘ２方向）にスライドする動作に伴って、板バネ１４Ｂのカム片１４ｆの下に進入していた右側のシャッタ部材１６の押し上げ片１６ｅがカム片１４ｆの傾斜面を経由して右側の押し上げ部１４ｄ’の裏面に沿って移動することで、右側の押し上げ部１４ｄ’が上方に持ち上げられるので、板バネ１４Ｂの押圧部１４ｃがディスク状記録媒体１２の中心部に貼り付けた樹脂製キャップ１３から離間する。
【００５７】
この際、左側のシャッタ部材１５Ｂはスライドすることなく初期状態を保っているものの、板バネ１４Ｂ全体が上方に持ち上げられるので板バネ１４Ｂの第１，第２傾斜部１４ｂ’，１４ｇ及び左側の押し上げ部１４ｉはディスク状記録媒体１２の上面１２ａに接触しない。
【００５８】
これにより、ディスク装置３０Ｂ（図５）に設けたターンテーブル３２がカートリッジ本体１１Ｂの下面１１ｂの中央部に形成したターンテーブル進入用丸孔１１ｂ１内に進入し、このターンテーブル３２でディスク状記録媒体１２の中心孔１２ｃをチャッキングした時に、板バネ１４Ｂの押圧部１４ｃがディスク状記録媒体１２の中心部に貼り付けた樹脂製キャップ１３に接触することなく、ターンテーブル３２と一体にディスク状記録媒体１２を回転できるので、一つの光ピックアップ３４（図５）で記録又は再生を行うことができる。
【００５９】
一方、ここでの図示を省略するものの、カートリッジ本体１１Ｂの後側面１１ｄを先頭にしてディスクカートリッジ１０Ｂをディスク装置３０Ｂ（図５）に挿入した時には、左側のシャッタ部材１５Ｂが前方側（矢印Ｘ１方向）にスライドする動作に伴って、板バネ１４Ｂのカム片１４ｊの下に進入していた左側のシャッタ部材１５Ｂの押し上げ片１５ｅがカム片１４ｊの傾斜面を経由して左側の押し上げ部１４ｉの裏面に沿って移動することで、左側の押し上げ部１４ｉが上方に持ち上げられるので、板バネ１４Ｂの押圧部１４ｃがディスク状記録媒体１２の中心部に貼り付けた樹脂製キャップ１３から離間する。
【００６０】
この際、右側のシャッタ部材１６はスライドすることなく初期状態を保っているものの、板バネ１４Ｂ全体が上方に持ち上げられるので板バネ１４Ｂの右側の押し上げ部１４ｄ’はディスク状記録媒体１２の上面１２ａに接触しない。
【００６１】
これにより、ディスク装置３０Ｂ（図５）に設けたターンテーブル３２がカートリッジ本体１１Ｂの下面１１ｂの中央部に形成したターンテーブル進入用丸孔１１ｂ１内に進入し、このターンテーブル３２でディスク状記録媒体１２の中心孔１２ｃをチャッキングした時に、板バネ１４Ｂの押圧部１４ｃがディスク状記録媒体１２の中心部に貼り付けた樹脂製キャップ１３に接触することなく、ターンテーブル３２と一体にディスク状記録媒体１２を回転できるので、一つの光ピックアップ３４（図５）で記録又は再生を行うことができる。
【図面の簡単な説明】
【００６２】
【図１】本発明に係る実施例１のディスクカートリッジを上面側から見た斜視図である。
【図２】（ａ），（ｂ）は本発明に係る実施例１のディスクカートリッジを示した上面図，縦断面図である。
【図３】本発明に係る実施例１のディスクカートリッジの前後左右を反転させずに摸式的に下面側から見た斜視図である。
【図４】本発明に係る実施例１のディスクカートリッジの左右の側面側を断面した断面図であり、（ａ）は非装着時の状態を示し、（ｂ）はディスク装置への装着時の状態を示した図である。
【図５】本発明に係る実施例２のディスクカートリッジを上面側から見た斜視図である。
【図６】（ａ），（ｂ）は本発明に係る実施例２のディスクカートリッジを示した上面図，縦断面図である。
【図７】本発明に係る実施例２のディスクカートリッジの前後左右を反転させずに摸式的に下面側から見た斜視図である。
【図８】本発明に係る実施例２のディスクカートリッジの左右の側面側を断面した断面図であり、（ａ）は非装着時の状態を示し、（ｂ）はディスク装置への装着時の状態を示した図である。
【図９】従来のディスクカートリッジを示した平面図である。
【符号の説明】
【００６３】
１０Ａ…実施例１のディスクカートリッジ、
１０Ｂ…実施例２のディスクカートリッジ、
１１Ａ…実施例１のカートリッジ本体、
１１Ｂ…実施例２のカートリッジ本体、
１１ａ…上面、１１ｂ…下面、１１ｃ…前側面、１１ｄ…後側面、
１１ｅ…左側面、１１ｆ…右側面、
１２…ディスク状記録媒体、１２ａ…上面、１２ｂ…下面、
１２ｃ…中心孔、１２ｄ…円形凹部、
１３…樹脂製キャップ、
１４Ａ…実施例１の板バネ、
１４Ｂ…実施例２の板バネ、
１４ａ…固着部、１４ｂ…傾斜部、１４ｂ’…第１傾斜部、１４ｃ…押圧部、
１４ｄ…左右の押し上げ部、１４ｄ’…右側の押し上げ部、
１４ｅ，１４ｆ…カム片、１４ｇ…第２傾斜部、１４ｈ…切り込み部、
１４ｉ…左側の押し上げ部、１４ｊ…カム片、
１５Ａ…実施例１の左側のシャッタ部材、
１５Ｂ…実施例２の左側のシャッタ部材、
１５ａ…上面、１５ｂ…側面、１５ｃ…下面、
１６…実施例１，２の右側のシャッタ部材、
１６ａ…上面、１６ｂ…側面、１６ｃ…下面、
１７Ａ，１７Ｂ…ラベル、
１８Ａ，１８Ｂ，１９…シャッタロック爪、
１９Ａ，１９Ｂ，２０…軸、
２１Ａ，２１Ｂ，２２…ネジリバネ、
３０Ａ，３０Ｂ…ディスク装置、３１…カートリッジ挿脱口、
３２…ターンテーブル、３３，３４…光ピックアップ、
３５，３６…シャッタロック解除部材。
【図１】
2006260665.tif 000003
【図２】
2006260665.tif 000004
【図３】
2006260665.tif 000005
【図４】
2006260665.tif 000006
【図５】
2006260665.tif 000007
【図６】
2006260665.tif 000008
【図７】
2006260665.tif 000009
【図８】
2006260665.tif 000010
【図９】
2006260665.tif 000011